(57)【要約】  ネズミ捕獲用の動物用の罠（１）は基礎ハウジング（２）付きの箱状ハウジングを有し、回動可能なカバーハウジング（７）が取り付けられている。ハウジング内部に設置されているのは、シーソーのように設計された、踏み台（１２）を備えた作動装置（１０）である。このカバーハウジングは機械的制止器具（１１）により開位置に固定できる。カバーハウジング内に収まっている施錠機構（２３）には、使用者がカバーハウジングを閉位置にするための操作ボタン（２５）とともに、開位置に戻すための施錠解除ボタン（２７）が備わっている。
2009506760.tif 000002
【特許請求の範囲】
【請求項１】
開かれた上側を覆うための天井部（８）と、入り口開口部（６）を閉塞して閉位置にするための端壁部（９）とを備える、閉位置と開位置との間で回動するカバーハウジング（７）が取り付けられ、入り口開口部（６）を有し、上側が開かれた基礎ハウジング（２）を含む、箱状のハウジングを備えた特にネズミなどの小動物の捕獲用の動物用の罠（１）であって、前記ハウジング内の施錠を解除するよう設計され、前記カバーハウジング（７）と対応して協働する機械的制止器具（１１）および機械的作動装置（１０）により前記カバーハウジング（７）を開位置に固定することができることを特徴とする、箱状のハウジングを備えた特にネズミなどの小動物の捕獲用の動物用の罠。
【請求項２】
前記カバーハウジング（７）が作動後、重力で閉位置に移動するように基礎ハウジング内で開位置に静止することを特徴とする、請求項１記載の動物用の罠。
【請求項３】
前記カバーハウジング（７）がバネ張力によって開位置に保持されることを特徴とする、請求項１または２に記載の動物用の罠。
【請求項４】
前記作動装置（１０）が踏み台（１２）または衝撃台を具備することを特徴とする、請求項１から請求項３のいずれか１項に記載の動物用の罠。
【請求項５】
前記作動装置（１０）が、基礎ハウジング内に（２）に静止して、前記基礎ハウジング（２）の側壁（４）に沿って伸張する２本の平行したアーム（１３）が側方に回動可能に連接された、踏み台（１２）を有することを特徴とする、請求項１から請求項を４のいずれか１項に記載の動物用の罠。
【請求項６】
前記作動装置（１０）のアーム（１３）側方に設置され、特に、前記基礎ハウジング（２）の側壁（４）に設けた開口部よって形成した継手受口（１５）と対応してと噛み合うジョイントカムを特徴とする、請求項５に記載の動物用の罠。
【請求項７】
前記制止器具（１１）が作動装置（１０）カウンター軸受によって形成され、そこに前記カバーハウジング（７）の前記各固定片（１７）が開位置で支持されていることを特徴とする、請求項５から請求項６のいずれか１項に記載の動物用の罠。
【請求項８】
前記作動装置（１０）が基礎ハウジング内に（２）シーソーのように静止し、このシーソーが、一端に踏み台（１２）が設置され、その対向端に、断面が開かれてＵ字形を呈した挿入部（１８）が床部に設置され、前記側壁（４）に沿って側方に伸張する２本の平行するアーム（１３）を有していることを特徴とする、請求項１から請求項７のいずれか１項に記載の動物用の罠。
【請求項９】
前記天井部（８）が前面カバー表面（１９）および後面カバー表面（２０）を有し、前記前面カバー表面（１９）が閉位置に、かつ前記後面カバー表面（２０）が開位置にあるときに前記前面カバー表面（１９）が床部に平行になるくらいの傾斜角度（μ）で屈折していることを特徴とする、請求項１から請求項８のいずれか１項に記載の動物用の罠。
【請求項１０】
ジョイントカム（２１）がそれぞれ前記カバーハウジング（７）に側方的に設置され、特に、側壁（４）の開口部によって形成された対応する継手受口（２２）と噛み合っていることを特徴とする、請求項１から請求項９のいずれか１項に記載の動物用の罠。
【請求項１１】
施錠機構（２３）が、ハウジング上の対応するカウンター軸受（２６）と閉位置で係合することができ、前記カバーハウジング（７）の天井部（８）に設置された少なくともひ
とつの爪（２４）を有することを特徴とする、請求項１から請求項１０のいずれか１項に記載の動物用の罠。
【請求項１２】
前記施錠機構（２３）が、カバーハウジング（７）を開位置に戻すための施錠解除ボタン（２７）を備えていることを特徴とする、請求項１１に記載の動物用の罠。
【請求項１３】
前記施錠機構（２３）が前記カバーハウジング（７）につく別の構成部品、好ましくは爪（２４）および開位置に戻すための施錠解除ボタン（２７）を具備する一体型の部品であり、前記爪（２４）が施錠解除ボタン（２７）への作用によって前記カウンター軸受（２６）から解放されるように回動可能であることを特徴とする、請求項１１または１２に記載の動物用の罠。
【請求項１４】
施錠機構（２３）が、操作ボタン（２５）を押すことによりカバーハウジング（７）が閉位置に移動するように、前記作動装置（１０）と協働することを特徴とする、請求項１１から請求項１３のいずれか１項に記載の動物用の罠。
【請求項１５】
前記施錠機構（２３）が、前記カバーハウジング（７）の操作ボタン（２５）を作動させるために必要な圧力を、動物の正味体重より重くして形成されていることを特徴とする、請求項１５に記載の動物用の罠。
【請求項１６】
前記施錠機構（２３）の前記爪（２４）が、操作ボタン（２５）に圧力を加えることで、前記作動装置（１０）特に、踏み台（１２）部分のラッチを形成することを特徴とする、請求項１４または請求項１５に記載の動物用の罠。
【請求項１７】
基礎ハウジング（２）、カバーハウジング（７）、作動装置（１０）、および、好ましくは施錠機構（２３）も含め、すべての構成部品が合成材料でできており、スナップ結合で組み立てられることを特徴とする、請求項１から請求項１６のいずれか１項に記載の動物用の罠。
【請求項１８】
開口部（２９）が、前記入り口開口部（６）に対向する背壁（５）上に現れ、そこへ餌入れ（３１）付きの摺動要素（３０）を挿入可能であることを特徴とする、請求項１から請求項１７のいずれか１項に記載の動物用の罠。
【発明の詳細な説明】
【技術分野】
【０００１】
本発明は基準１に規定する総称に従った動物用の罠である。この型の罠は動物の中でも齧歯類動物、特にネズミなどの小動物の生け捕り用に使用される。
【背景技術】
【０００２】
すでに多数のネズミ捕り器が公知で、使用されている。この型に類似するネズミ捕り器には、例えばＤＥ  ２０  ２００４  ０１６  ９３５  Ｕ１に開示されているものがある。このネズミ捕り器の主要部は二つの箱状のハウジングで、これにより２つのハウジングは連結した部分を中心にした回動機能が備わる。加えて、ハウジング下部が上方に突出して一端が開く。ハウジング上部の後端にはベンドで作製した餌溜めを有する。ネズミが餌溜めから餌を摂取すると、ハウジング上部のバランスが崩れるため（重力の原理）、罠が回動して閉じるようになっている。ネズミ捕り器は餌を設置しないと開位置に保たれないので、罠の取り扱いに際して問題が生じてくる。さらに、実際問題として、例えば、動物がハウジング上部に乗ったような場合でも、罠が不意に作動して閉じてしまうことがあった。
【発明の開示】
【発明が解決しようとする課題】
【０００３】
したがって、上述の発明の目的は、とりわけ上記の種類の動物用の罠を作製する際に、動物によって不意に作動しないようにして、従来の問題点を回避することにある。さらに、動物用の罠は取り扱いが簡単であることが望ましいため、製造方法も簡単であることが望ましい。このような課題点を、基準１の特徴を呈した動物用の罠である本発明によって解決した。
【課題を解決するための手段】
【０００４】
基礎ハウジングは床部、２つの側壁、および背壁の対向端に設けられた開口部からなる。カバーハウジングは、好ましくは、回転軸が基礎ハウジングの側壁に対して垂直に通るように、基礎ハウジングに回動可能に取り付けられている。動物がハウジング天井部に乗っても、機械的制止手段を備えた障壁を使用することによって、不意の作動を防止することができる。当然のことながら、この動物用の罠は使用者が自分で閉位置にすることができるような方法で備え付けることが可能である。機械的に作動するようにした装置をハウジング内側に取り付けることで、所望どおりの作動を正確に決定することが可能である。とりわけ、接触反応型の装置も問題になってくるが、他の解決法でも妥当と思われる。
【０００５】
当初の設計においては、カバーハウジングは施錠が解除されているとその自重で回転運動によって閉位置まで回動することができる。その上、開位置にある時に、カバーハウジングは、作動後、重力の影響で閉位置になるように基礎ハウジング内に静止していることができる。例えば、カバーハウジングは基礎ハウジング内に偏心的に静止していることができる。重力の原理を活かすと、動物用の罠の生産、および使用は簡単なものになる。
【０００６】
付加的に、または別の方法として、回動部分はバネの張力を利用して開位置に保持が可能である。動物用の罠の閉塞はバネ張力を利用することで好適に行うことができ、より強い閉塞力により、ハウジングが閉塞するまでの間に動物がハウジング内から脱出するおそれがなくなる。
【０００７】
本作動装置は回動して作動させるための踏み台または衝撃台を収納していてよい。踏み台または衝撃台は、好ましくは、背壁部分に配置する必要がある。動物が踏み台の上に乗
るようにすることにより、罠が確実に始動し、実質的に捕獲数を増やせる。この設計での更なる特長は、餌は単に餌として使用されるだけで、本作動装置とは関係なく使用できることにある。
【０００８】
この作動装置が踏み台を備え、その台上に、基礎ハウジング内で回動することのできる２本の平行するアームが側壁に沿って伸張していると好ましい。このように作成したレバーによって、動物がより軽量であっても罠をすぐに作動させることができる。
【０００９】
作動装置が基礎ハウジング内にシーソーのように静止する場合は特に有利である。このシーソーには各壁の側面に沿って伸張する平行アームを備えることができ、このアーム上の一端に踏み台を配置し、その対向端に挿入部を配置する。この挿入部は床部に向かって開かれたＵ字形を呈していてよく、そこから動物が侵入することができる。例えば、挿入部は２つの側面部および連接する縦板１枚を備えてＵの字形の輪郭を呈していてよく、この挿入部により、大きめの動物が侵入してこの連接用縦板にぶつかると動物用の罠が作動する。
【００１０】
作動装置のアーム側方には、基礎ハウジングの側壁にある、対応する継手受口と噛み合うように継手を配置してもよい。これらの継手受口は、特に円形の開口部または穿孔によって形成するのが好ましい。
【００１１】
作動装置のアーム上に両側のカバーハウジングストッパーを開位置で支持する制止器具をカウンター軸受で形成すると有利である。カウンター軸受は、例えば、ストッパーの支持手段として、天井部に向いたロックフランク付きの鋸歯状張り出し部であってよい。この方法では、カウンター軸受をいずれかのアーム表面上に上側にそらせて形成してよい。
【００１２】
天井部の前面カバー表面および後面カバー表面は、前面カバー表面が閉位置にあり、かつ後面カバー表面が開位置にあるときに、前面カバー表面が床部とちょうど平行になるような傾斜角で屈曲している。したがって、その旋回角度は傾斜角に対応することになる。このような装置の特徴は、使い勝手の良さと人間工学的な形状にある。
【００１３】
それぞれのジョイントカムを、特に、開口部を手段として側壁に形成した、対応する継手受口と噛み合うように、カバーハウジングの側方に配置する。
【００１４】
少なくとも一つの爪を備えた施錠機構をカバーハウジング天井部に配設し、ハウジング上にある対応するカウンター軸受で閉位置で係合するようにしてよい。カウンター軸受は、例えば、側壁にカム突起を配設したものでよい。施錠機構により、捕獲した動物によって動物用の罠が開くことがないように簡単にできる。
【００１５】
施錠器具にカバーハウジングを開位置の状態に戻すための施錠解除ボタンがついていると使用者に都合がよい。このボタンがあると、動物用の罠の使用が簡単になる。
【００１６】
別の設計においては、施錠器具をカバーハウジング上に別に設置することが可能で、好ましくは、爪および開位置に戻すための施錠解除ボタン付き一体型構成部品を設置することが可能である。施錠機構は、例えば、施錠解除ボタンに圧力がかかるなどして、カウンター軸受の爪が解放されると回動する。この種の装置で、施錠機構の有効なコストパフォーマンスおよび生産性が実現できる。
【００１７】
設計として特に好適なのは、操作ボタンを押すとカバーハウジングが閉位置になるように施錠機構と作動装置とが一体となって協働可能なものである。その結果、使用者は、開いている罠を必要に応じて再び閉じることができる。この方法で特に好ましいのは、それ
に必要とされる圧力で、動物の体重より重くなっていることである。
【００１８】
捕獲した動物は施錠解除ボタン、好ましくは天井部の背壁部分に配置することにより、容易に逃がすことができる。特に、逃がしている間に使用者が動物と接触することがないので、使用者が怪我をするというおそれがかなり減る。
【００１９】
施錠機構の爪は、操作ボタンを押すことで装置が作動開始するように設置が可能である。さらに、特に踏み台部分で作動装置の阻止機能をなることができる。このような方法では、使用者は非常に簡単にカバーハウジングを閉位置にすることが可能になる。
【００２０】
基礎ハウジング、カバーハウジング、作動装置、および、好ましくは施錠機構も、いずれも合成材料で作製が可能で、これらをスナップ結合を利用して組み立てができる。この装置の特長は、生産が容易で、かつコストパフォーマンスに優れる点である。その上、金属部品をまったく使用せずにすむ。
【００２１】
開口部は基礎ハウジングの背壁内に設計してよく、餌入れ付き摺動要素を挿入する。例えば、摺動要素は溝状案内路設計によって開口部内で側方に摺動可能である。当然、摺動要素は別の方法で、例えば端壁のスナップをはずしてあけることにより背壁に固定が可能である。
【００２２】
更なる個々の特徴および発明の効果については以下の設計例の説明および図中で明らかにする。
【発明を実施するための最良の形態】
【００２３】
図１に示すように、発明による動物用の罠は比較的少ない構成部品からなっている。基本的な構成部品は基礎ハウジング２、カバーハウジング７、作動装置１０、と施錠機構２３である。これらの構成部品は、好ましくは、合成材料でできており、射出成形法で容易に製造できる。構成部品のアセンブリは、ジョイントカム１４、２１、３３に加え、間隙状の１５、２２、および３４をそれぞれ対応する継手受口とした。この固定装置では部品同士をカチッとはめるだけで組み立てを行うことができる。
【００２４】
図１からさらに明らかなように、基礎ハウジング２は上側が開くように設計されており、２つの側壁４、背壁５、および背壁の対向する側面上の入り口に設けた開口部６を有している。開口部２９は背壁５に設計し、ここに摺動要素３０が溝状案内路設計により横から摺動させることができる。この摺動要素には餌入れ３１が備わっている。餌は、種々の植物または動物性物質を入れることができ、所期の用途による。
【００２５】
側壁４には円形の開口部がある。作動装置１０およびカバーハウジング７は、開口部１５のジョイントカム１４、および開口部２２のジョイントカム２１により、回動可能に固定されている。施錠器具２３はジョイントカム３３とこれに対応するカバーハウジング７の開口部３４によって回動可能に固定されている。当然、固定装置は別の軸部品によるものも考えられるはずである。
【００２６】
カバーハウジングの主要部は天井部８、とその前端の、垂直方向に動く端壁部９とからなる。端壁部９が入り口開口部６を閉塞して閉位置をとる。天井部８は前面カバー部１９および後面カバー部２０からなる。後面カバー部分には操作ボタン２５および施錠解除ボタン２７を組み込むための開口部がある。さらに、固定片１７が天井部８から床部３に向かって突出している。
【００２７】
作動装置１０を２つのアーム１３が付いたシーソーのように設置し、アームの一端に踏
み台１２を設置し、もう一端には床部３上に開かれた挿入部１８を設計する。シーソー回転軸（Ｓ２）はジョイントカム１４により規定される。動物用の罠の基本的な作動は、踏み台の上に乗ることによって作動するが、これを例えば、体の幅が大きすぎる動物が侵入する（侵入しようとする）などしてＵ字形の挿入部１８の縦板３５にぶつかることによって作動開始するようにすることも考えられる。
【００２８】
カバーハウジング７の固定片１７用のカウンター軸受１１はアーム１３についている。ここでの設計例によると、施錠機構は一体型構成部品とすることもできる。施錠機構２３は爪２４を有し、側壁４内部に取り付けられているカウンター軸受２６と閉位置で噛み合うように、それぞれの制止部３７を備えている。動物用の罠の正しい操作、特に、作動装置１０および施錠機構２３の機能について以下の図４および図５とともに詳細に説明する。
【００２９】
図２および図３はに図１で示した動物用の罠の外観図を表す。明らかなように、動物用の罠１においては図２の開位置にあるときに動物が開口部６から侵入できる。この位置では、天井部８の後面カバー表面２０とハウジングの床部３とが平行になる。カバーハウジング７はＳ１として示された回転軸によって基礎ハウジング２内におさまる（さらなる回転軸をＳ２およびＳ３とする。図４ならびに図５を比較参照のこと）。動物用の罠１が作動すると罠が閉塞する。図３は動物用の罠１が閉位置にあるときである。明らかなように、前面カバー表面１９と床部３はここでは平行になっている。
【００３０】
図４から明らかなように、カバーハウジング７は制止器具１１によって固定片１７が固定されることにより、その位置に固定される。制止器具１１は、固定片１７と斜角のついたフランクとを連接するロックフランク３６とを有したアーム１３の鋸歯状の張り出し部により形成される。「ｅ」で示した方向へのシーソー運動により、固定片１７が制止器具１１から解放され、これによりカバーハウジングは重力による一種の振子運動をして閉位置に移動する。使用者が簡単に動物用の罠を閉じることができるようにするため、施錠機構２３の操作ボタン２５が図１に設けられ、係着されている。図４に示すように、爪２４は踏み台１２用のストッパーを形成している。したがって、作動装置は、固定片２４についた操作ボタン２５を押すことにより、作動に必要なシーソー運動に入ることができる。この方法においては、動物用の罠１は作動させるために一定量の圧力が必要なようにできている。これにより、動物が操作ボタン２５に働きかけることで閉塞動作が開始しないようにできる。
【００３１】
図５は、閉位置において、カバーハウジング７が施錠機構２３で固定されている図である。爪２４は対応するカウンター軸受２６を制止部３７を介して係合する。施錠解除ボタン２７は係合した部分を解放することを目的としている。施錠機構２３は、施錠解除ボタンを押すことで爪２４がカウンター軸受２６から解放されるよう、回転軸Ｓ３回りに揺れることが可能だ。
【図面の簡単な説明】
【００３２】
【図１】本発明の動物用の罠の分解斜視図。
【図２】図１の開位置での動物用の罠の透視画法。
【図３】図１の閉位置での動物用の罠の透視画法。
【図４】変更後の開位置での動物用の罠の断面図。
【図５】図４の閉位置での動物用の罠の断面図。
【図１】
2009506760.tif 000003
【図２】
2009506760.tif 000004
【図３】
2009506760.tif 000005
【図４】
2009506760.tif 000006
【図５】
2009506760.tif 000007
【国際調査報告】
2009506760.tif 000008
2009506760.tif 000009
2009506760.tif 000010
2009506760.tif 000011